(57)【要約】【課題】絞り加工されたシンクの形状変化をなくして、カウンタに形成した開口部に、シンクを接合固着させたキッチンカウンタの美観を向上させる。【解決手段】カウンタ２に形成した開口部２１に、シンク３を接合固着させてなるキッチンカウンタ１であって、シンク３は、平面視したときに、少なくとも長手辺３Ａの中央部分が外側に膨らんだ形状に形成され、開口部２１とシンク３との間には硬質接着剤を注入して形成した目地６をカウンタ面側に露出させている。【選択図】図１
2008154822.tif 000002
【特許請求の範囲】
【請求項１】
カウンタに形成した開口部に、接合部を介してシンクのフランジ部を接合固着させてなるキッチンカウンタであって、
上記シンクは、平面視したときに、長手辺の中央部分が外側に膨らんだ形状に形成され、
上記開口部と上記シンクのフランジ部との間には、硬質接着剤を注入して形成した上記接合部の一部が目地としてカウンタの表面側に露出されていることを特徴とするキッチンカウンタ。
【請求項２】
請求項１において、
上記カウンタの開口部と、上記シンクの全周との間に形成された目地幅は略等しい寸法に形成されている、キッチンカウンタ。
【請求項３】
請求項１、２のいずれかにおいて、
上記シンクは、その外周に、床面に対し略垂直に延びる折返し片を延設させたフランジ部を備えている、キッチンカウンタ。
【発明の詳細な説明】
【技術分野】
【０００１】
本発明は、カウンタに形成した開口部にシンクを固着させて形成されるキッチンカウンタに関するものである。
【背景技術】
【０００２】
従来、シンクをカウンタの下方より取り付けた構造のキッチンカウンタが種々開示されている。この種のものでは、たとえば特許文献１、２に示すように、シンクのフランジ部をカウンタの開口部端縁の下方に、接着剤によって固着するものが多い。
【０００３】
このようなものでは、シンクのフランジ部や接着剤による接合部はカウンタによって隠されて上方からは見えず、美観にすぐれた仕上がりとなる。特に、特許文献１のように、人造大理石をカウンタに使用したものでは、フランジ部を隠すことによって人造大理石の高級感、美観性がより生かされる。
【０００４】
一方、カウンタに形成した開口部とシンクのとの接合部が表面に表れるようにした接合構造のものもあるが、このものは、カウンタとシンクとの接合部である目地が表面に露出されるため、接合部を隠すものよりも汚れを視認しやすく、汚れを除去しやすいという利点がある。
【特許文献１】特開２００３−１０２５６９号公報
【特許文献２】特開平１０−２９９０５７号公報
【特許文献３】特開２００６−８１８２３号公報
【発明の開示】
【発明が解決しようとする課題】
【０００５】
ところが、目地を露出させたものは、シンクの外形も表面に表れるため、その外形寸法が開口部の寸法に合致しなければ、目地幅が一様とはならず美観が損なわれる。特に、絞り加工によって製されるシンクは、寸法が微妙に狂いやすく、シンクに取り付ける際に外力によって形状変化を起しやすいという問題もあった。
【０００６】
なお、特許文献３に開示されたシンクは湾曲形状であるが、カウンタと一体成形されたシームレスのもので、目地は表面に表れていないため、カウンタの開口部にシンクを接合固着させるものと比べて、製造後に形状変化が問題になるようなこともない。
【０００７】
本発明は、このような事情を考慮して提案されたもので、その目的は、絞り加工されたシンクの形状変化をなくして、カウンタに形成した開口部に、シンクを接合固着させたキッチンカウンタの美観を向上させる点にある。
【課題を解決するための手段】
【０００８】
上記目的を達成するために、請求項１に記載のキッチンカウンタは、カウンタに形成した開口部に、接合部を介してシンクのフランジ部を接合固着させてなるキッチンカウンタであって、シンクは、平面視したときに、長手辺の中央部分が外側に膨らんだ形状に形成され、開口部とシンクのフランジ部との間には、硬質接着剤を注入して形成した接合部の一部が目地としてカウンタの表面側に露出されている。
【０００９】
請求項２に記載のキッチンカウンタは、カウンタの開口部と、シンクの全周との間に形成された目地幅は略等しい寸法に形成されている。
【００１０】
請求項３に記載のキッチンカウンタは、シンクは、その外周に、床面に対し略垂直に延びる折返し片を延設させたフランジ部を備えている。
【発明の効果】
【００１１】
本発明のキッチンカウンタによれば、シンクの形状が少なくとも長手辺側の中央部分が外側に膨らんだ形状に形成されているため、リブと同様の保形効果があり、そのため、カウンタの開口部にフランジ部を固着させた場合にも、フランジ部に歪みを生じることがなく、変形もしにくい。
【００１２】
また、目地幅を略等しい寸法にした本発明では、目地がきれいに形成され、また保形性ともあいまって目地幅が等しい状態に維持されるため、露出されたカウンタとシンクとの接合部により美観が損なわれる懸念もない。
【００１３】
シンクのフランジ部に折返し片を設けた本発明では、折返し片が外側に膨らんだ形状となるため、シンクの寸法安定性をさらに高められる。
【発明を実施するための最良の形態】
【００１４】
以下に、本発明の実施の形態について、添付図面とともに説明する。
【００１５】
図２は、本発明の一例であるキッチンカウンタの外観斜視図である。
【００１６】
キッチンカウンタ１は、人造大理石製のカウンタ（天板）２と、カウンタ２に形成された開口部２１に合致させて固着された金属製のシンク３とより形成されている。
【００１７】
カウンタ２は、樹脂などの非金属製あるいは金属製のいずれでもよいが、美観を出すために人造あるいは天然大理石製とすることが望ましい。また、カウンタ２の前縁は垂下し、前垂れ部２ｂが形成され、後端は立ち上がり、バックガード２ａが形成されている。
【００１８】
また、シンク３は絞り加工により形成され、カウンタ２の開口部２１に接合させるためのフランジ部３１が段差部３６を介して全周囲にわたって周設され、凹部３５には排水口３ａ、後端には洗剤等載置台３ｂを備えている。
【００１９】
カウンタ表面には、開口部２１に取り付けられたシンク３と、カウンタ２との接合部５（図４参照）の一部がシンク３の全周に目地６として表れている。この接合部の目地６は、開口部２１の内周縁２３（図４参照）と、シンク３の全周に外方に延設されたフランジ部３１とを固着させるようにした後述する硬質の接着剤が硬化して形成された接合部５（図４参照）の一部をなすものである。
【００２０】
また、図２に示すように、開口部２１の開口形状およびシンク３の外形形状は、各辺の中央部分がフランジ部３１とともに外側に膨らんだ形状となっている。以下、この形状について詳述する。
【００２１】
図１は、カウンタ２との接合部を含むシンク３の平面図である。
【００２２】
シンク３の平面視形状は、凹部３５の各辺ごとに所定の曲率で外側に湾曲した形状となっており、フランジ部３１を取り付ける開口部２１の各辺の形状も、フランジ部３１の湾曲度合いに合った所定の曲率で湾曲している。それによって、開口部２１とフランジ部３１との間の目地６は、曲線状の略等しい幅で形成されている。
【００２３】
すなわち、シンク３の長手辺３Ａは、凹部３５中央側より順に、凹部３５の壁面辺３Ａ１（段差部３６の内側辺）、段差部３６の外側辺３Ａ２（フランジ部３１の内側辺）、フランジ部の外側辺３Ａ３を含んでいるが、それらの曲率半径は、ｒ１（例えば１８２９０ｍｍ）、ｒ２（例えば１８３０５ｍｍ）、ｒ３（例えば１８３２０ｍｍ）と、少しずつ大きくなっている。また、シンク３の短手辺３Ｂも所定の曲率で湾曲させればよいが、長手辺３Ａよりも形状が安定し、かつ長手辺３Ａほどの保形効果がないため、全く膨らまさないようにしてもよい。さらにまた、開口部２１の長手辺２Ａの曲率半径ｒ４は、上記曲率半径ｒ３よりも大きい値となっている。
【００２４】
このようにシンク３を外方に膨らんだ湾曲形状とすることで、リブと同様の保形効果を発揮でき、シンク３の強度が向上し、その開口部２１にフランジ部３１を固着させた場合にも、フランジ部３１に歪みが生じることはなく、変形もしにくい。また、上記の曲率では目視で曲線を判断できないが、さらに湾曲度合いを増加すれば、シンク３を、丸みを帯びた優しいイメージにすることができる。
【００２５】
また、目地６の幅を略等しい寸法に形成すれば、美観を損なうことはなく、むしろ曲線的な形状によって、ソフトで優しいキッチン空間を表現できる。たとえシンク３が一定の膨らみで成形されず、等しい幅寸法の目地６が形成されなかったとしても、直線的な目地６で幅が一定とならないものに比べてはるかに見映えがよく、他の意匠性さえ期待できる。
【００２６】
なお、シンク３の湾曲は、凹部３５の壁面辺３Ａ１、段差部３６の外側辺３Ａ２は膨らませず、フランジ部３１の外側辺３Ａ３だけを膨らませるようにしてもよい。
【００２７】
図３は、図１に示した平面図のＸ−Ｘ線の縦断面図である。
【００２８】
シンク３のフランジ部３１は、カウンタ２の開口部２１に、全周にわたって目地６を介して装着、接合されており、図３に示すように、カウンタ２とシンク３のフランジ部３１との接合部表面は面一に形成されている。図３中の３２は、カウンタ２と接合させるためのフランジ部３１より延設された折返し片である。
【００２９】
図４は、図３の接合周辺部Ａを拡大した縦断面図である。
【００３０】
フランジ部３１は、テーパ部３４を有して内方に降下する傾斜した形状とされ、テーパ部３４よりも外方の水平部３３からは、床面に対し略垂直に延びた折返し片３２が全周にわたって延設されている。この折返し片３２はフランジ部３１の平面視形状に従い、湾曲した形状となっている。また折返し片３２には、全周にわたる適所に貫通孔３５が設けられている。
【００３１】
同キッチンカウンタ１は、フランジ部３１の折返し片３２とカウンタ開口部２１の内周縁２３とが対向されて、裏側より充填された硬質接着剤で、カウンタ２とシンク３とが固着されている。
【００３２】
折返し片３２は、フランジ部３１の強度を向上させ、フランジ部３１が波打ったり歪んだりすることがなく、シンク３は安定した形状を保持でき、さらに湾曲させているため、シンク３全体の強度も高められる。
【００３３】
カウンタ２へのシンク３の取付は、それらを裏返し、それらの接合部５の表面側が隙間を介して面一となるように整合したうえで、裏側より硬質接着剤を注入することによってなされる。
【００３４】
硬質接着剤は、エポキシ、ウレタン系の樹脂などからなる主剤に硬化剤を混合して液状に生成されて、所定時間経過後に常温で硬化するものを使用する。１種類の接着剤を使用してもよいが、表面側層（第１接合層）、裏面側層（第２接合層）として２種のものを使用することが望ましい。先に注入して一部が表面の目地６として表れる第１接合層剤は美観にすぐれ、変色せず、接着力が高く、かつ隙間に注入できる程度の低粘度のものが望まれる。第２接合層剤は接着性が高いものが望まれるが、従来使用される低価格のものでよい。また、第１、第２接合層剤は、硬化時に一体的に固化するような成分としている。なお、図４では硬化後の接合部５の状態を模式的に示しているが、両接合層剤によって図示するような均一な界面が形成されるものではない。
【００３５】
第１接合層剤は、カウンタ２に使用する人造大理石、ステンレス製シンク３のいずれかの色、柄に合わせて着色剤（顔料、染料）、柄材などを配合させてもよい。そうすれば、表面に表れる目地６はほとんど目立たず、目地６によって美観が損なわれるおそれはほとんどない。柄材としては例えば、人造大理石で使用するベンガラ色、黒色などの平均粒径５〜５０μｍ程度の粒状物が使用できる。
【００３６】
また逆に、意匠性のあるシンク３の外形の曲線形状を引き立たせるために、目地６を、その周辺のカウンタ２やシンク３よりも目立たせるような色、柄にしてもよい。
【００３７】
第１接合層剤の充填は、接合部５空間の表面側よりシリコンゴム冶具（不図示）をあてがった状態で、裏側より行う。注入された第１接合層剤は、開口部２１の内周縁端面２３と折返し片３２との間に形成された隙間にも注入、充填され、貫通孔３５の中にも充填されてゆき、第１接合層５１を形成して、表面側がほぼ面一となるように目地６が形成される。なお、面一の程度は、図４に示すような完全にフラットなものが望まれるが、少しの段差があってもよい。
【００３８】
第２接合層剤は、第１接合層剤の硬化を待たず注入され、カウンタ２の開口部端縁部２２の下面に強固に固着させた桟木４の位置まで充填されて、第２接合層５２を形成する。
【００３９】
この桟木４は開口部端縁部２２の裏側の略全周にわたって設けられ、硬質接着剤と強固に接着する。また桟木４は、接着剤注入時の堰の機能も有し、注入した液状の接着剤が流れ出ることも防止している。
【００４０】
こうして、第１、第２の硬質接着剤を順次注入して充填し、硬化させることで、カウンタ２とシンク３とを強固に連結させる２層よりなる接合部５が形成され、この接合部５の表面では、カウンタ２、硬質接着剤によって形成された目地６、フランジ部３１の水平部３３がほぼ面一状態に形成される。
【００４１】
このように、カウンタ表面の接合周辺部が目地６を挟んでほとんど段差なくフラットに形成できるため、掃除がきわめてしやすく、目地６周辺を清潔な状態に保持することができる。また、目地６が表面に表れているため、汚れをすぐに視認することができる。
【００４２】
さらに、フランジ部３１を傾斜形状としているため、水分が目地６周辺に溜まることがなく、水はけもよい。また、目地６が硬質接着剤で製されているため、カビが発生しても中まで浸透することがなく、簡単に取り除くことができる。
【００４３】
また、シンク３のフランジ部３１が折返し片３２を備えているため、接着剤は折返し片３２に絡み、固着性の高い接合を実現できる。さらに、折返し片３２に設けた貫通孔３５にも入り込んで固化することでアンカー効果があり、固着を強固にする。
【００４４】
また上述したように、長手方向に湾曲形成させた折返し片３２によってフランジ部３１の形状は安定するため、カウンタ２の開口部２１との間に形成される目地６を均一幅に形成することができ、そのためキッチンカウンタ１を美観にすぐれた形状にすることができる。
【００４５】
なお、フランジ部３１に設けた折返し片３２は、その下端を外方に、水平あるいはテーパ状に折曲形成させてもよい。そうすることによって、その下端部をシンクの下面にもぐりこませて、硬質接着剤を十分に絡ませて接着性を高めることができる。
【００４６】
また、カウンタ２の材料としてメラミン化粧板を使用してもよい。開口部２１の内周縁２３と折返し片３２とを対向させて接着させる構造であるため、メラミン化粧板の木口を隠すことができ都合がよい。また、化粧板の木口によって接着力も強化できる。
【図面の簡単な説明】
【００４７】
【図１】本発明の一例であるキッチンカウンタの平面図である。
【図２】同キッチンカウンタの外観斜視図である。
【図３】同キッチンカウンタの縦断面図である。
【図４】同キッチンカウンタのシンク接合周辺部の縦断面図である。
【符号の説明】
【００４８】
１      キッチンカウンタ
２      カウンタ
２１      開口部
２Ａ      長手辺
２２      開口部端縁部
２３      開口部内周縁
３      シンク
３Ａ      長手辺
３Ｂ      短手辺
３１      フランジ部
３２      折返し片
３３      水平部
３４      テーパ部
４      桟木
５      接合部
５１      第１接合層
５２      第２接合層
６      目地
【図１】
2008154822.tif 000003
【図２】
2008154822.tif 000004
【図３】
2008154822.tif 000005
【図４】
2008154822.tif 000006